(57)【要約】【課題】竪樋が熱伸縮して該竪樋の下端部の端面が水封部材の底面に当接した場合でも雨水を確実に排出することができる雨樋構造を提供する。【解決手段】水封部材２８内に挿入される竪樋１６の下端部１６ｂに、竪樋１６の周壁２７により規定される開口２６とは別に、竪樋１６内の雨水を水封部材２８内に流出させ且つ水封部材２８内の雨水により封鎖される流出手段３２を設ける。【選択図】図１
2008291503.tif 000002
【特許請求の範囲】
【請求項１】
軒先に設けられた軒樋内の雨水を該軒樋の下方に案内するための竪樋と、該竪樋の周壁により規定される開口を経て前記竪樋の下端部から流出する雨水を受け且つ受けた該雨水により前記竪樋の前記開口を封鎖すべく、前記竪樋の前記下端部の端面と前記水封部材の底面との間に間隔がおかれるように前記竪樋の前記下端部を受け入れる水封部材とを備え、前記竪樋の前記下端部には、前記竪樋の前記開口とは別に、前記竪樋内の雨水を前記水封部材内に流出させ且つ前記水封部材内の雨水により封鎖される流出手段が設けられていることを特徴とする雨樋構造。
【請求項２】
前記流出手段は、前記竪樋の前記周壁に形成され、該周壁を貫通し且つ前記下端部の端面に開放する切欠部であることを特徴とする請求項１に記載の雨樋構造。
【請求項３】
前記流出手段は、前記竪樋の前記周壁に形成され、該周壁を貫通する貫通孔であることを特徴とする請求項１に記載の雨樋構造。
【発明の詳細な説明】
【技術分野】
【０００１】
本発明は、住宅のような建物に設けられるサイフォン式の雨樋構造に関する。
【背景技術】
【０００２】
一般的に、例えば住宅の軒先には、屋根から流れ落ちる雨水を受けるための軒樋が設けられている。軒樋内に流入した雨水は、軒樋内から竪樋内に流入し、竪樋内を通って地中に埋設されている排水管に流入する。これにより、屋根から流れ落ちる雨水を飛び散らせることなく排水管に確実に案内することができる。
【０００３】
従来、排水管への単位時間当たりの排水量を増加させるために、いわゆるサイフォンの原理を利用した雨樋構造が知られている（例えば、特許文献１参照。）。
【０００４】
この雨樋構造では、竪樋の下端部を受け入れる筒状の排水管カバーが排水管に設けられており、排水管カバー内には、竪樋の下端部から流出される雨水を受ける水封部材が排水管カバーとの間に隙間が形成されるように配置されている。水封部材は、排水管カバーとの間の隙間が保持されるように排水管カバーに固定されている。竪樋の下端部は、その端面と水封部材の底面との間に間隔をおくように水封部材内に挿入されている。竪樋の周壁によって規定される開口から水封部材内に流入した雨水は、水封部材内から溢れ出した後、水封部材と排水管カバーとの間を通って排水管カバー内から排水管内に排出される。
【０００５】
水封部材内の水位が竪樋の端面の位置に達した状態では、竪樋の前記開口が水封部材内の雨水により封鎖される。これにより、軒樋から竪樋内に大量の雨水が流入したとき、雨水は竪樋内に溜まる。竪樋内に溜まった雨水から水封部材内の雨水に作用する圧力が水封部材内の雨水から竪樋内の雨水に作用する圧力よりも大きくなる水位に竪樋内の雨水の水位が達したとき、竪樋内に溜まった雨水はその自重により竪樋内を水封部材内に向けて落下し、これにより、軒樋内の雨水が竪樋内に引っ張られる。このようなサイフォン現象が生じることにより、軒樋内の雨水を、自然落下するときの流速よりも速い流速で竪樋内を流下させることができるので、雨水を自然落下させることにより排水管に排出する場合に比べて、単位時間当たりの排水量を増加させることができる。
【特許文献１】特開２００５−３３０６６６号公報
【発明の開示】
【発明が解決しようとする課題】
【０００６】
しかしながら、竪樋が例えばポリ塩化ビニルのように熱伸縮性を有する合成樹脂材料からなる場合に、例えば気温の変動によって、竪樋の下端部の端面と水封部材の底面との間の間隔よりも大きい伸長量で竪樋がその軸線方向に沿って伸長変形することにより竪樋の下端部の端面が水封部材の底面に当接したとき、竪樋の下端部の前記開口が水封部材の底面によって塞がれる虞がある。
【０００７】
竪樋の前記開口が塞がれると、竪樋内から水封部材内に前記開口を経て雨水を流出させることができないため、軒樋から竪樋内に流入した雨水を排水管に排出することができず、軒樋に流入した雨水は該軒樋から溢れ出てしまう。
【０００８】
そこで、本発明の目的は、竪樋が熱伸縮して該竪樋の下端部の端面が水封部材の底面に当接した場合でも雨水を確実に排出することができる雨樋構造を提供することにある。
【課題を解決するための手段】
【０００９】
上記課題を解決するために、請求項１に記載の発明は、軒先に設けられた軒樋内の雨水を該軒樋の下方に案内するための竪樋と、該竪樋の周壁により規定される開口を経て前記竪樋の下端部から流出する雨水を受け且つ受けた該雨水により前記竪樋の前記開口を封鎖すべく、前記竪樋の前記下端部の端面と前記水封部材の底面との間に間隔がおかれるように前記竪樋の前記下端部を受け入れる水封部材とを備え、前記竪樋の前記下端部には、前記竪樋の前記開口とは別に、前記竪樋内の雨水を前記水封部材内に流出させ且つ前記水封部材内の雨水により封鎖される流出手段が設けられていることを特徴とする。
【００１０】
請求項２に記載の発明は、請求項１に記載の発明において、前記流出手段は、前記竪樋の前記周壁に形成され、該周壁を貫通し且つ前記下端部の端面に開放する切欠部であることを特徴とする。
【００１１】
請求項３に記載の発明は、請求項１に記載の発明において、前記流出手段は、前記竪樋の前記周壁に形成され、該周壁を貫通する貫通孔であることを特徴とする。
【発明の効果】
【００１２】
請求項１に記載の発明によれば、竪樋の下端部に、竪樋の周壁によって規定される開口とは別に、竪樋内の雨水を水封部材内に流出させるための流出手段が設けられている。
【００１３】
このことから、竪樋が例えばポリ塩化ビニルのように熱伸縮性を有する合成樹脂材料からなる場合に、例えば気温の変動により、竪樋の下端部の端面と水封部材の底面との間の間隔よりも大きい伸長量で竪樋がその軸線方向に伸長変形することにより竪樋の下端部の端面が水封部材の底面に当接したとき、竪樋の前記開口が水封部材の底面によってたとえ塞がれたとしても、竪樋内の雨水を流出手段による流出機能により水封部材内に流出させることができる。
【００１４】
これにより、竪樋の前記開口が水封部材の底面によって塞がれた場合でも前記開口とは別の流出経路が確保されるので、竪樋の前記開口が水封部材の底面によって塞がれることにより竪樋内から水封部材内への雨水の流出が妨げられることを、確実に防止することができる。
【００１５】
従って、竪樋が竪樋の下端部の端面と水封部材の底面との間の間隔よりも大きい伸長量で伸長変形した場合でも、軒樋内から竪樋内に流入した雨水を排水管に水封部材を介して確実に排出することができる。
【００１６】
請求項２に記載の発明によれば、流出手段は、竪樋の周壁に形成され、該周壁を貫通し且つ下端部の端面に開放する切欠部であることから、竪樋の伸長変形時に竪樋の前記開口が水封部材の底面により塞がれたとき、竪樋内は切欠部を介して水封部材内に開放する。これにより、竪樋の前記開口が水封部材の底面により塞がれた場合でも、竪樋内と水封部材内とが切欠部を介して互いに連通するので、竪樋内の雨水を水封部材内に切欠部を経て流出させることができる。
【００１７】
また、竪樋の前記開口が水封部材の底面により塞がれた状態で水封部材内の雨水の水位が切欠部を超えた状態すなわち切欠部が水封部材内の雨水内に水没した状態において、雨水が竪樋内を自然落下するときの軒樋から竪樋内への雨水の単位時間当たりの流入量が水封部材内からの雨水の単位時間当たりの流出量よりも多い場合、軒樋内から竪樋内に流入した雨水の大部分は、竪樋内から切欠部を経て水封部材内に流出することなく竪樋内に溜まる。すなわち、切欠部が水封部材内の雨水により封鎖される。これにより、従来と同様なサイフォン現象を生じさせることができる。
【００１８】
更に、既存の竪樋の下端部に切欠部を形成することにより、竪樋の下端部の前記開口が水封部材の底面により塞がれた状態で前記開口とは別の流出経路を容易に確保することができるので、前記開口とは別の流出経路を確保するために既存の竪樋とは別の部材を用いる場合に比べて、製造コストの増大を確実に抑制することができる。
【００１９】
請求項３に記載の発明によれば、流出手段は、竪樋の周壁に形成され、該周壁を貫通する貫通孔であることから、竪樋の伸長変形時に竪樋の前記開口が水封部材の底面により塞がれたとき、竪樋内は貫通孔を介して水封部材内に開放する。これにより、竪樋の前記開口が水封部材の底面により塞がれた場合でも、竪樋内と水封部材内とが貫通孔を介して互いに連通するので、竪樋内の雨水を水封部材内に貫通孔を経て流出させることができる。
【００２０】
また、竪樋の前記開口が水封部材の底面により塞がれた状態で水封部材内の雨水の水位が貫通孔を超えた状態すなわち貫通孔が水封部材内の雨水内に水没した状態において、雨水が竪樋内を自然落下するときの軒樋から竪樋内への雨水の単位時間当たりの流入量が水封部材内からの雨水の単位時間当たりの流出量よりも多い場合、軒樋内から竪樋内に流入した雨水の大部分は、竪樋内から貫通孔を経て水封部材内に流出することなく竪樋内に溜まる。すなわち、貫通孔が水封部材内の雨水により封鎖される。これにより、従来と同様なサイフォン現象を生じさせることができる。
【００２１】
更に、既存の竪樋の下端部に貫通孔を形成することにより、竪樋の下端部の前記開口が水封部材の底面により塞がれた状態で前記開口とは別の流出経路を容易に確保することができるので、前記開口とは別の流出経路を確保するために既存の竪樋とは別の部材を用いる場合に比べて、製造コストの増大を確実に抑制することができる。
【発明を実施するための最良の形態】
【００２２】
本発明を図示の実施例に沿って説明する。
【実施例】
【００２３】
本発明に係る雨樋構造１０は、図１に示すように、住宅１１の軒先１２に沿って設けられ、屋根１３から流れ落ちる雨水を受ける軒樋１４と、雨水を地中に埋設された排水管１５に案内するための竪樋１６とを備える。
【００２４】
竪樋１６は、例えばポリ塩化ビニルのように熱伸縮性を有する樹脂材料で成形された長尺状の筒部材からなり、住宅１１の外壁１１ａに沿って上下方向に伸びるように配置されている。竪樋１６の上端部１６ａは、図示の例では、従来と同様に、一端部１９ａがＬ字状のエルボ継手１７及び排水ドレン１８を順次介して軒樋１４に接続された呼び樋１９の他端部１９ｂにエルボ継手２０を介して接続されている。これにより、竪樋１６の上端部１６ａは、各エルボ継手１７，２０、呼び樋１９及び排水ドレン１８を介して軒樋１４に接続されている。竪樋１６の下端部１６ｂは、排水管１５に設けられた排水管カバー２１を介して排水管１５に接続されている。
【００２５】
排水管１５は、雨水の流入を受ける流入端部１５ａが上方へ開放するように、竪樋１６の下方で地中に埋設されている。
【００２６】
排水管カバー２１は、竪樋１６の下端部１６ｂを受け入れるカバー本体２２と、該カバー本体に装着される蓋部材２３とを有する。
【００２７】
カバー本体２２は、両端が開放した円筒部材からなり、その一端部に排水管１５の流入端部１５ａが嵌合される嵌合端部２２ａを有し、他端部に竪樋１６の下端部１６ｂを受け入れる受入端部２２ｂを有する。
【００２８】
蓋部材２３は、カバー本体２２の受入端部２２ｂの開口を覆う板状の被覆部２４と、該被覆部の縁部２４ａから下方へ伸びカバー本体２２の受入端部２２ｂに嵌合する嵌合部２４ｂとを有する。被覆部２４のほぼ中央には、竪樋１６があそびをもって挿通される挿通孔２５が形成されている。蓋部材２３は、嵌合部２４ｂがカバー本体２２の受入端部２２ｂに嵌合することによりカバー本体２２に装着される。
【００２９】
竪樋１６は、その下端部１６ｂが被覆部２４の挿通孔２５を経てカバー本体２２内に挿入されることにより、排水管１５に排水管カバー２１を介して該排水管カバーに対して相対移動可能に接続される。カバー本体２２内への竪樋１６の挿入量は、例えば気温の変化により竪樋１６がその軸線方向に熱伸縮したときにカバー本体２２内での竪樋１６の伸縮変形が許容される大きさに設定されている。これにより、竪樋１６の熱伸縮時に竪樋１６がカバー本体２２内から抜け出すことが防止される。
【００３０】
更に、本発明に係る雨樋構造１０は、竪樋１６の下端部１６ｂの開口２６すなわち竪樋１６の周壁２７によって規定される開口２６から流出する雨水を受け且つ受けた該雨水により竪樋１６の下端部１６ｂを封鎖するための水封部材２８を備える。
【００３１】
水封部材２８は、底壁２９と該底壁の縁部２９ａから立ち上がる円筒状の周壁３０とを有し、上方へ開放する。水封部材２８の周壁３０の外径は、カバー本体２２の内径よりも小さくなるように設定されており、水封部材２８の周壁３０の内径は、竪樋１６の外径よりも大きくなるように設定されている。水封部材２８は、その周壁３０の外周面３０ａとカバー本体２２の内周面２２ｃとの間に全面に亘って隙間が形成されるようにカバー本体２２内に配置されている。
【００３２】
周壁３０の上端部３０ｂには、水封部材２８をカバー本体２２に固定するための複数の固定部３１が形成されている。各固定部３１は、それぞれ周壁３０の上端部３０ｂからカバー本体２２に向けて突出し且つ周壁３０の周方向に互いに間隔をおいて配置されている。
【００３３】
カバー本体２２内に受け入れられた竪樋１６の下端部１６ｂは、その端面１６ｃと水封部材２８の底面２９ｂとの間及び竪樋１６の周壁２７の外周面２７ａと水封部材２８の周壁３０の内周面３０ｃとの間にそれぞれ全面に亘って隙間が形成されるように、水封部材２８内にその上方から挿入されている。竪樋１６の下端部１６ｂの端面１６ｃと水封部材２８の底面２９ｂとの間の間隔は、水封部材２８内での竪樋１６の熱伸縮を許容する大きさに設定されている。
【００３４】
竪樋１６の下端部１６ｂには、竪樋１６の前記開口２６とは別に、竪樋１６内の雨水を水封部材２８内に流出させるための流出手段３２が設けられている。
【００３５】
流出手段３２は、図２に示す例では、竪樋１６の周壁２７形成された複数の切欠部３３で構成されている。各切欠部３３は、それぞれ周壁２７を貫通しており、下端部１６ｂの端面１６ｃに開放し且つ竪樋１６の軸線方向に伸びる。
【００３６】
軒樋１４内から排水ドレン１８、呼び樋１９及び各エルボ継手１７，２０を経て竪樋１６内に流入した雨水は、図１に矢印で示すように、該竪樋の下端部１６ｂの前記開口２６及び各切欠部３３を経て竪樋１６内から水封部材２８内に流入する。水封部材２８内に流入した雨水は、竪樋１６の下端部１６ｂの端面１６ｃと水封部材２８の底面２９ｂとの間及び竪樋１６の周壁２７の外周面２７ａと水封部材２８の周壁３０の内周面３０ｃとの間に溜まり、水封部材２８内から溢れ出す。このとき、水封部材２８の各固定部３１は、前記したように、それぞれ周壁３０の周方向に互いに間隔をおいて配置されていることから、各固定部３１により水封部材内からの雨水の溢れ出しが妨げられることはない。水封部材２８内から溢流した雨水は、水封部材２８の周壁３０の外周面３０ａとカバー本体２２の内周面２２ｃとの間の隙間を流下した後、カバー本体２２の嵌合端部２２ａ及び排水管１５の流入端部１５ａを経て排水管カバー２１内から排水管１５内に排出される。
【００３７】
また、水封部材２８内の水位が竪樋１６の各切欠部３３の頂部３３ａ（図２参照。）の位置以上の位置に上昇した状態において、雨水が竪樋１６内を自然落下するときの軒樋１２から竪樋１６内への雨水の単位時間当たりの流入量が水封部材２８内からの雨水の単位時間当たりの流出量とほぼ等しい場合、軒樋１４から竪樋１６に流入した雨水は、竪樋１６内を満水状態にすることなく前記開口２６及び各切欠部３３を経て水封部材２８内に流出する。
【００３８】
他方、水封部材２８内の水位が竪樋１６の各切欠部３３の頂部３３ａの位置以上の位置に上昇した状態において、軒樋１４から竪樋１６に大量の雨水が流入したときのように、雨水が竪樋１６内を自然落下するときの軒樋１２から竪樋１６内への雨水の単位時間当たりの流入量が水封部材２８内からの雨水の単位時間当たりの流出量よりも多い場合、軒樋１４内から竪樋１６内に流入した雨水の大部分は、竪樋１６内から水封部材２８内に流出することなく竪樋１６内に溜まる。すなわち、竪樋１６の前記開口２６及び各切欠部３３がそれぞれ水封部材２８内の雨水により封鎖される。このとき、竪樋１６の下端部１６ｂの端面１６ｃと水封部材２８の底面２９ｂとの間の間隔は、水封部材２８内での竪樋１６の熱伸縮を許容する大きさに設定されていることから、竪樋１６がその軸線方向に熱収縮したときに竪樋１６の下端部１６ｂが水封部材２８内から抜け出すことが防止される。これにより、竪樋１６が熱収縮している場合でも、竪樋１６の前記開口２６及び各切欠部３３をそれぞれ水封部材２８内の雨水により封鎖することができる。
【００３９】
竪樋１６内に溜まった雨水から水封部材２８内の雨水に作用する圧力が水封部材２８内の雨水から竪樋１６内の雨水に作用する圧力よりも大きくなる水位に竪樋１６内の雨水の水位が達したとき、竪樋１６内に溜まった雨水はその自重により竪樋１６内を水封部材２８内に向けて落下する。この竪樋１６内の雨水の落下により、軒樋１４内の雨水が呼び樋１９及び各エルボ継手１７，２０を経て介して竪樋１６内に引っ張られる。このような所謂サイフォン現象が生じることにより、軒樋１４内の雨水は、自然落下するときの流速よりも速い流速で竪樋１６内を流下する。
【００４０】
例えば気温の変動により、竪樋１６の下端部１６ｂの端面１６ｃと水封部材２８の底面２９ｂとの間の間隔よりも大きい伸長量で竪樋１６がその軸線方向に伸長変形することによって竪樋１６の下端部１６ｂの端面１６ｃが水封部材２８の底面２９ｂに当接したときに、竪樋１６の前記開口２６が水封部材２８の底面２９ｂによって塞がれた場合、図３に示すように、竪樋１６内は、各切欠部３３を介して水封部材２８内に開放する。これにより、竪樋１６内と水封部材２８内とが各切欠部３３を介して互いに連通する。
【００４１】
この状態で軒樋１４から竪樋１６に流入した雨水は、図３に矢印で示すように、各切欠部３３を経て竪樋１６内から水封部材２８内に流入した後、前記したと同様に、該水封部材内から溢れ出し、排水管カバー２１内を経て排水管１５内に排出される。
【００４２】
また、水封部材２８内の水位が竪樋１６の各切欠部３３の頂部３３ａの位置以上の位置に上昇した状態すなわち各切欠部３３がそれぞれ水封部材２８内の雨水内に水没した状態において、雨水が竪樋１６内を自然落下するときの軒樋１２から竪樋１６内への雨水の単位時間当たりの流入量が水封部材２８内からの雨水の単位時間当たりの流出量とほぼ等しい場合、軒樋１４から竪樋１６に流入した雨水は、竪樋１６内を満水状態にすることなく各切欠部３３を経て水封部材２８内に流入し、該水封部材内からその外方に流出する。
【００４３】
他方、竪樋１６の各切欠部３３がそれぞれ水封部材２８内の雨水内に水没した状態において、雨水が竪樋１６内を自然落下するときの軒樋１２から竪樋１６内への雨水の単位時間当たりの流入量が水封部材２８内からの雨水の単位時間当たりの流出量よりも多い場合は、軒樋１４内から竪樋１６内に流入した雨水の大部分は、竪樋１６内から水封部材２８内に各切欠部３３を経て流出することなく竪樋１６内に溜まる。すなわち、竪樋１６の各切欠部３３が水封部材２８内の雨水により封鎖される。これにより、前記したと同様に、サイフォン現象を生じさせることができる。
【００４４】
本実施例によれば、前記したように、竪樋１６の下端部１６ｂに、竪樋１６の周壁２７によって規定される開口２６とは別に、竪樋１６内の雨水を水封部材２８内に流出させるための流出手段３２が設けられている。
【００４５】
このことから、例えば気温の変動により、竪樋１６の下端部１６ｂの端面１６ｃと水封部材２８の底面２９ｂとの間の間隔よりも大きい伸長量で竪樋１６がその軸線方向に伸長変形することにより竪樋１６の下端部１６ｂの端面１６ｃが水封部材２８の底面２９ｂに当接したとき、竪樋１６の前記開口２６が水封部材２８の底面２９ｂによってたとえ塞がれたとしても、竪樋１６内の雨水を流出手段３２による流出機能により水封部材２８内に流出させることができる。
【００４６】
これにより、竪樋１６の前記開口２６が水封部材２８の底面２９ｂによって塞がれた場合でも前記開口２６とは別の流出経路が確保されるので、竪樋１６の前記開口２６が水封部材２８の底面２９ｂによって塞がれることにより竪樋１６内から水封部材２８内への雨水の流出が妨げられることを、確実に防止することができる。
【００４７】
従って、竪樋１６が竪樋１６の下端部１６ｂの端面１６ｃと水封部材２８の底面２９ｂとの間の間隔よりも大きい伸長量で伸長変形した場合でも、軒樋内から竪樋１６内に流入した雨水を排水管に水封部材２８を介して確実に排出することができる。
【００４８】
また、前記したように、流出手段３２が、竪樋１６の周壁２７に形成され、該周壁２７を貫通し且つ下端部１６ｂの端面１６ｃに開放する切欠部３３であることから、既存の竪樋１６の下端部１６ｂに各切欠部３３を形成することにより、竪樋１６の下端部１６ｂの前記開口２６が水封部材２８の底面２９ｂにより塞がれた状態で前記開口２６とは別の流出経路を容易に確保することができる。これにより、前記開口２６とは別の流出経路を確保するために既存の竪樋１６とは別の部材を用いる場合に比べて、製造コストの増大を確実に抑制することができる。
【００４９】
本実施例では、竪樋１６の前記開口２６が水封部材２８の底面２９ｂによって塞がれた状態で竪樋１６内の雨水を水封部材２８内に流出させるための流出手段３２が、竪樋１６の周壁２７に形成された複数の切欠部３３で構成された例を示したが、これに代えて、図４に示すように、竪樋１６の周壁２７に形成された複数の貫通孔３４で構成することができる。各貫通孔３４は、図示の例では、それぞれ竪樋の周壁２７の周方向に互いに所定の間隔をおいて周壁２７に形成されている。
【００５０】
例えば気温の変動による竪樋１６の伸長変形により竪樋１６の前記開口２６が前記したように水封部材２８の底面２９ｂによって塞がれた場合、図５に示すように、竪樋１６内は各貫通孔３４を介して水封部材２８内に開放する。これにより、竪樋１６内と水封部材２８内とが各貫通孔３４を介して互いに連通する。
【００５１】
この状態で軒樋１４から竪樋１６に流入した雨水は、図５に矢印で示すように、各貫通孔３４を経て竪樋１６内から水封部材２８内に流入した後、前記したと同様に、該水封部材内から溢れ出し、排水管カバー２１内を経て排水管１５内に排出される。
【００５２】
また、水封部材２８内の水位が竪樋１６の各貫通孔３４の頂部３４ａの位置以上の位置に上昇した状態すなわち各切欠部３３がそれぞれ水封部材２８内の雨水内に水没した状態において、雨水が竪樋１６内を自然落下するときの軒樋１２から竪樋１６内への雨水の単位時間当たりの流入量が水封部材２８内からの雨水の単位時間当たりの流出量とほぼ等しい場合、軒樋１４から竪樋１６に流入した雨水は、竪樋１６内を満水状態にすることなく各貫通孔３４を経て水封部材２８内に流入し、該水封部材内からその外方に流出する。
【００５３】
他方、竪樋１６の各貫通孔３４がそれぞれ水封部材２８内の雨水内に水没した状態において、雨水が竪樋１６内を自然落下するときの軒樋１２から竪樋１６内への雨水の単位時間当たりの流入量が水封部材２８内からの雨水の単位時間当たりの流出量よりも多い場合は、軒樋１４内から竪樋１６内に流入した雨水の大部分は、竪樋１６内から水封部材２８内に各貫通孔３４を経て流出することなく竪樋１６内に溜まる。すなわち、竪樋１６の各貫通孔３４が水封部材２８内の雨水により封鎖される。これにより、前記したと同様に、サイフォン現象を生じさせることができる。
【００５４】
図４及び図５に示す例によれば、既存の竪樋１６の下端部１６ｂに各貫通孔３４を形成することにより、竪樋１６の下端部１６ｂの前記開口２６が水封部材２８の底面２９ｂにより塞がれた状態で前記開口２６とは別の流出経路を容易に確保することができる。これにより、前記開口２６とは別の流出経路を確保するために既存の竪樋１６とは別の部材を用いる場合に比べて、製造コストの増大を確実に抑制することができる。
【００５５】
図１乃至図５に示す例では、流出手段３２が竪樋１６の周壁２７に形成された複数の切欠部３３又は複数の貫通孔３４で構成された例を示したが、これに代えて、又は、これに加えて、竪樋１６の前記開口２６が水封部材２８の底面２９ｂによって塞がれた状態で竪樋１６内の雨水を水封部材２８内に流出させることができれば、各切欠部３３及び各貫通孔３４以外の手段を本発明に適用することができる。
【００５６】
また、図１乃至図５に示す例では、本発明に係る雨樋構造１０を住宅１１に適用した例を示したが、これに代えて、住宅１１以外の建物に本発明を適用することができる。
【図面の簡単な説明】
【００５７】
【図１】本発明に係る雨樋構造を概略的に示す側面図である。
【図２】本発明に係る流出手段が設けられた竪樋を概略的に示す斜視図である。
【図３】本発明に係る竪樋の下端部の開口が水封部材の底面により塞がれた状態を概略的に示す説明図である。
【図４】図１乃至図３に示す例とは別の実施例に係る流出手段が設けられた竪樋を概略的に示す斜視図である。
【図５】図４に示す流出手段が設けられた竪樋の下端部の開口が水封部材の底面により塞がれた状態を概略的に示す説明図である。
【符号の説明】
【００５８】
１０  雨樋構造
１４  軒樋
１６  竪樋
２６  開口
２７  周壁（竪樋の周壁）
２８  水封部材
３２  流出手段
３３  切欠部
３４  貫通孔
【図１】
2008291503.tif 000003
【図２】
2008291503.tif 000004
【図３】
2008291503.tif 000005
【図４】
2008291503.tif 000006
【図５】
2008291503.tif 000007